(57)【特許請求の範囲】
【請求項１】
遊技板の前面に形成された遊技領域に配置されて、前記遊技領域を流下する遊技媒体が入賞したときに遊技者に特典を付与可能な入賞部と、
前記遊技領域の下端部における前記入賞部の真下位置の少なくとも一部に配置されて、特典の付与なく前記遊技領域を流下する遊技媒体を受け入れて前記遊技領域外に排出する排出口と有し、
前記遊技板の前面から突出して前記遊技領域を包囲する包囲壁には、下方に膨らむように湾曲して前記遊技領域を流下してきた遊技媒体を受け止めて前記排出口側に案内する湾曲ガイド部が備えられた遊技機において、
前記排出口の側方に位置し、前記入賞部の前面又は前記入賞部内を流下せずに前記湾曲ガイド部に案内された遊技媒体を前記排出口の側方位置で堰き止めるサイド壁と、
前記サイド壁に堰き止められた遊技媒体を、前記排出口とは別に、特典の付与なく受け入れて前記遊技領域外に排出するサイド排出口と、
前記排出口を挟んで前記サイド壁に対向する位置に配置された対向壁と、
前記サイド壁と前記対向壁の間に形成されて、前記入賞部の前面又は前記入賞部内を流下する遊技媒体を前記排出口にのみ誘導する誘導流路と、を設け、
前記サイド排出口は、前記サイド壁に対して前記排出口側とは反対側である前記遊技媒体を堰きとめる側に配置されたことを特徴とする遊技機。
【請求項２】
前記サイド壁の上端部には、前記誘導流路側に向かって下るように傾斜した誘導傾斜部が備えられ、
前記入賞部は、前記遊技板の前面に開口した入賞口と、入賞補助部材とを備えてなり、
前記入賞補助部材は、前記入賞口内に収まった待機位置と、前記入賞口の下辺開口縁から前方に突出して前記遊技媒体を前記入賞口に案内する作動位置との間を移動するように構成され、
前記作動位置の前記入賞補助部材が前記誘導傾斜部に誘導された遊技媒体を受け止められるように、前記入賞口を前記サイド壁と前記対向壁の間又はそれらサイド壁と対向壁の上端部間に配置したことを特徴とする請求項１に記載の遊技機。
【請求項３】
前記入賞口の幅は、遊技媒体１個分より大きく２個分より小さい幅に設定され、
前記サイド壁と前記対向壁の間隔を、遊技媒体１個分より大きく２個分よりも小さくしたことを特徴とする請求項２に記載の遊技機。
【請求項４】
前記入賞口は、前記排出口から上方に遊技媒体２個分未満の位置に配置され、
前記入賞補助部材は、前記待機位置では、前記入賞口を閉塞し、前記待機位置から下端部を中心に前側に倒されて前記作動位置に配置される回動扉であることを特徴とする請求項３に記載の遊技機。
【請求項５】
前記サイド壁は、前記排出口の両側方に１対設けられると共に、それら１対のサイド壁の上端部には、前記誘導流路側に向かって下るように傾斜した１対の誘導傾斜部が備えられ、
前記１対のサイド壁のうち一方のサイド壁を、前記対向壁とし、
前記サイド排出口を、前記１対のサイド壁の前記排出口と反対側に対をなして配置したことを特徴とする請求項２乃至４のうち何れか１の請求項に記載の遊技機。
【発明の詳細な説明】
【技術分野】
【０００１】
本発明は、遊技領域に入賞部を備え、遊技領域の下端部における入賞部の真下位置の少なくとも一部に、入賞部に入賞しなかった遊技媒体を排出する排出口が配置された遊技機に関する。
【背景技術】
【０００２】
従来、この種の遊技機として、例えば、遊技球が入球可能な入賞口と、排出口とが上下に並べて配置され、この入賞口の両側に遊技球を入賞口へ向けて誘導するガイド部材を備えたものが知られている（例えば、特許文献１参照）。
【先行技術文献】
【特許文献】
【０００３】
【特許文献１】特開２０１２−１７９１８４号公報（［００２０］、図１）
【発明の概要】
【発明が解決しようとする課題】
【０００４】
しかしながら、上述した従来の遊技機では、入賞口と排出口との間の間隔が狭くなると、排出口の側方からガイド部材の下方を通って排出口へと向かう遊技球と入賞口側から排出口へと向かう遊技球とが排出口付近で合流して、球詰まりが発生するという問題があった。
【０００５】
本発明は、上記事情に鑑みてなされたもので、排出口付近で遊技媒体が詰まることを抑制可能な遊技機の提供を目的とする。
【課題を解決するための手段】
【０００６】
上記目的を達成するためになされた請求項１の発明に係る遊技機は、遊技板の前面に形成された遊技領域に配置されて、遊技領域を流下する遊技媒体が入賞したときに遊技者に特典を付与可能な入賞部と、遊技領域の下端部における入賞部の真下位置の少なくとも一部に配置されて、特典の付与なく遊技領域を流下する遊技媒体を受け入れて遊技領域外に排出する排出口と有し、遊技板の前面から突出して遊技領域を包囲する包囲壁には、下方に膨らむように湾曲して遊技領域を流下してきた遊技媒体を受け止めて排出口側に案内する湾曲ガイド部が備えられた遊技機において、排出口の側方に位置し、入賞部の前面又は入賞部内を流下せずに湾曲ガイド部に案内された遊技媒体を排出口の側方位置で堰き止めるサイド壁と、サイド壁に堰き止められた遊技媒体を、排出口とは別に、特典の付与なく受け入れて遊技領域外に排出するサイド排出口と、排出口を挟んでサイド壁に対向する位置に配置された対向壁と、サイド壁と対向壁の間に形成されて、入賞部の前面又は入賞部内を流下する遊技媒体を排出口にのみ誘導する誘導流路と、を設け、サイド排出口は、サイド壁に対して排出口側とは反対側である遊技媒体を堰きとめる側に配置されたところに特徴を有する。
【０００７】
請求項２の発明は、請求項１に記載の遊技機において、前記サイド壁の上端部には、誘導流路側に向かって下るように傾斜した誘導傾斜部が備えられ、入賞部は、遊技板の前面に開口した入賞口と、入賞補助部材とを備えてなり、入賞補助部材は、入賞口内に収まった待機位置と、入賞口の下辺開口縁から前方に突出して遊技媒体を入賞口に案内する作動位置との間を移動するように構成され、作動位置の入賞補助部材が前記誘導傾斜部に誘導された遊技媒体を受け止められるように、入賞口を前記サイド壁と対向壁の間又はそれらサイド壁と対向壁の上端部間に配置したところに特徴を有する。
【０００８】
請求項３の発明は、請求項２に記載の遊技機において、入賞口の幅は、遊技媒体１個分より大きく２個分より小さい幅に設定され、サイド壁と対向壁の間隔を、遊技媒体１個分より大きく２個分よりも小さくしたところに特徴を有する。
【０００９】
請求項４の発明は、請求項３に記載の遊技機において、入賞口は、排出口から上方に遊技媒体２個分未満の位置に配置され、入賞補助部材は、待機位置では、入賞口を閉塞し、待機位置から下端部を中心に前側に倒されて作動位置に配置される回動扉であるところに特徴を有する。
【００１０】
請求項５の発明は、請求項２乃至４のうち何れか１の請求項に記載の遊技機において、サイド壁は、排出口の両側方に１対設けられると共に、それら１対のサイド壁の上端部には、誘導流路側に向かって下るように傾斜した１対の誘導傾斜部が備えられ、１対のサイド壁のうち一方のサイド壁を、対向壁とし、サイド排出口を、１対のサイド壁の排出口と反対側に対をなして配置したところに特徴を有する。
【発明の効果】
【００１１】
［請求項１の発明］
請求項１の遊技機では、入賞部の前面又は入賞部内を流下する遊技媒体については、排出口から遊技領域外に排出される一方、入賞部の前面又は入賞部内を流下せずに、湾曲ガイド部によって排出口側に案内された遊技媒体については、排出口の側方位置でサイド壁によって堰き止められ、サイド排出口から遊技領域外に排出される。このように、本発明の遊技機によれば、排出口に向けて上方から流下してきた遊技媒体と、排出口に向けて側方から流下してきた遊技媒体とを、別々の排出口によって遊技領域外に排出するので、排出口付近で遊技媒体が詰まることを抑制することが可能になる。
【００１２】
［請求項２の発明］
請求項２の発明によれば、湾曲ガイド部によって案内された遊技球を堰き止めるサイド壁を、遊技媒体の入賞口への誘導に兼用することが可能になる。
【００１３】
［請求項３の発明］
請求項３の発明によれば、サイド壁と対向壁の間隔を狭くして、サイド排出口を遊技領域の横方向で排出口に近づけることができるので、排出口とサイド排出口とを、遊技領域内に横方向でコンパクトに収めることが可能になる。
【００１４】
［請求項４の発明］
請求項４の発明によれば、入賞口と排出口との間隔を狭くして、入賞部を遊技領域の下端に近づけることが可能になる。
【００１５】
［請求項５の発明］
請求項５の発明によれば、湾曲ガイド部によって左側、右側の何れから排出口側へ案内される遊技媒体についても、サイド壁で堰き止めてサイド排出口から排出することが可能になる。
【図面の簡単な説明】
【００１６】
【図１】本発明の一実施形態に係る遊技機の正面図
【図２】遊技板の正面図
【図３】第２の始動入賞口及び回動扉の正面図
【図４】始動入賞口ユニットの斜視図
【図５】始動入賞口ユニットの分解斜視図
【図６】（Ａ）回動扉が開いたときの第２の始動入賞口周辺の側断面図、（Ｂ）回動扉が閉じたときの第２の始動入賞口周辺の側断面図
【図７】サイド壁の正断面図
【図８】変形例に係る第２の始動入賞口及び回動扉の正面図
【図９】変形例に係る入賞部の正断面図
【図１０】変形例に係るサイド壁の正断面図
【図１１】変形例に係るサイド壁の正断面図
【発明を実施するための形態】
【００１７】
以下、本発明をパチンコ遊技機に適用した一実施形態を図１〜図７を用いて説明する。図１に示すように、本実施形態に係るパチンコ遊技機１０（以下、単に、「遊技機１０」という。）は、遊技領域Ｒ１を前面に有した遊技板１１を、遊技機１０の前面に開閉可能に取り付けられた前面枠１０Ｚで覆ってなり、その前面枠１０Ｚに形成されたガラス窓１０Ｗを通して、遊技領域Ｒ１の全体が視認可能となっている。
【００１８】
前面枠１０Ｚのうちガラス窓１０Ｗより上方の両角位置には、それぞれスピーカー２５，２５が設けられている。また、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球（本発明の「遊技媒体」に相当する。）が遊技領域Ｒ１に向けて弾き出される。なお、上皿２６に備えた球排出ボタン２９を押すと上皿２６に収容されている遊技球が下皿２７へと移動する。
【００１９】
図２に示すように、遊技板１１の前面からは、遊技領域Ｒ１を包囲するガイドレール１２（本発明の「包囲壁」に相当する。）が突出している。ガイドレール１２は、遊技板１１の外縁部を周回するように配置され、ガイドレール１２の下端部には、下方に膨むように湾曲し、流下する遊技球を受け止めて遊技領域Ｒ１の中央へと案内可能な湾曲ガイド部１２Ｇが備えられている。
【００２０】
遊技板１１のうち遊技領域Ｒ１の中央には、遊技板表示窓１１Ｈが貫通形成されており、その遊技板表示窓１１Ｈに遊技板１１の裏面側から表示装置３０が対向している。表示装置３０は、液晶モジュールで構成され、その前面が遊技に関する演出を行う表示画面３０Ｇとなっている。
【００２１】
遊技板１１の前面中央には、表示画面３０Ｇを囲むように表示装飾枠２３が取り付けられている。具体的には、表示装飾枠２３は、遊技板１１の前面側から遊技板表示窓１１Ｈに嵌め込まれて、遊技板表示窓１１Ｈの内側に張り出すと共に、遊技板１１の前面から突出している。そして、遊技領域Ｒ１を流下する遊技球が、表示装飾枠２３の前側を通過して表示装飾枠２３の内側に進入しないように構成されている。
【００２２】
表示装飾枠２３の左側の下方には、風車１９が設けられ、遊技領域Ｒ１の左側を流下してきた遊技球の進路を中央側へ変更可能になっている。また、表示装飾枠２３の左側部には、表示装飾枠２３の下辺部に形成されたステージ２４へ遊技球を案内するためのワープ路２２が備えられている。
【００２３】
表示装飾枠２３の横方向中央の下方には、第１と第２の始動入賞口１４Ａ，１４Ｂが上下に並べて設けられ、それら始動入賞口１４Ａ，１４Ｂの左側には、ガイドレール１２の湾曲ガイド部１２Ｇに沿って一般入賞口２０が複数設けられている。
【００２４】
図３に示すように、第１の始動入賞口１４Ａと第２の始動入賞口１４Ｂの間の空間は、演出用役物３１によって占められている。この演出用役物３１は、環状装飾部３２の内側に駆動役物３３を備えた構造になっている。また、演出用役物３１の両側部の下方には、第２の始動入賞口１４Ｂへ近づくに従って下方に下るように傾斜したサイド誘導路３５，３５が設けられている。そして、本実施形態の遊技機１０では、遊技球は、演出用役物３１によって第２の始動入賞口１４Ｂへの上方からの進入が規制され、サイド誘導路３５，３５によって側方からのみ進入可能となっている。
【００２５】
図２に示すように、表示装飾枠２３の右側には、始動ゲート１８が備えられている。また、表示装飾枠２３の下方における右側には、大入賞口１５が設けられ、この大入賞口１５のさらに右側にサイド入賞口２１が備えられている。
【００２６】
また、遊技領域Ｒ１の下端部には、遊技球を遊技領域Ｒ１の外側に排出するためのアウト口１６が設けられている。また、図示はしないが、遊技領域Ｒ１には多数の障害釘が植設されている。
【００２７】
次に、遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入球（入賞）すると、その遊技球は遊技板１１の裏側に取り込まれ、例えば、１個の入球につき１５個の賞球が上皿２６に払い出される。
【００２８】
始動ゲート１８は、遊技球が潜って通過可能な門形構造をなしている。始動ゲート１８を遊技球が通過すると、普通図柄の当否判定が行われる。ここで、本実施形態の遊技機１０では、通常の遊技状態では、普通図柄の当否判定が当たりとなる確率は低く設定されており、後述する「大当たり遊技」後に、普通図柄の当否判定が当たりとなる確率が高くなる「時短遊技」に突入する。従って、本実施形態の遊技機１０では、通常の遊技状態においては、表示装飾枠２３の左側を流下するように遊技球を打ち出す、所謂、「左打ち」を行い、「時短遊技」中においては、表示装飾枠２３の右側を流下するように遊技球を打ち出す、所謂、「右打ち」を行う、というように、２種類の打ち方を遊技者に提供可能に構成されている。なお、「時短遊技」は、「大当たり遊技」の終了後、第１〜第２の始動入賞口１４Ａ，１４Ｂへの入賞回数が、例えば、１００回に達するか、或いは、その「時短遊技」中に「大当たり遊技」へ移行した場合に終了する。
【００２９】
第１の始動入賞口１４Ａは、一般入賞口２０やサイド入賞口２１と同様に、ポケット構造になっていて、遊技球が１つずつ入ることが可能な大きさで上方に開口している。なお、上述したステージ２４のうち第１の始動入賞口１４Ａの真上に位置する部分には、球導入路２４Ａが形成されていて、ステージ２４を転動する遊技球は、球誘導路２４Ａから第１の始動入賞口１４Ａへ向けて流下可能となっている。
【００３０】
図３に示すように、第２の始動入賞口１４Ｂは、遊技球が１つずつ入ることが可能な大きさで前方に開口し、通常は、回動扉１４Ｔにて前方が閉塞される（図６（Ｂ）参照）ことで、遊技球の入球（入賞）が規制されている。回動扉１４Ｔは、上述した普通図柄の当否判定の結果が当たりとなったときに、所定時間だけ前側に倒される（図６（Ａ）参照）。そして、このとき、回動扉１４Ｔは、上述したサイド誘導路３５，３５を通ってきた遊技球を上面で受け止めて、第２の始動入賞口１４Ｂへと誘導可能となっている。
【００３１】
なお、本実施形態では、第２の始動入賞口１４Ｂと回動扉１４Ｔが、それぞれ、本発明の「入賞口」と「入賞補助部材」に相当し、それら第２の始動入賞口１４Ｂ及び回動扉１４Ｔによって本発明に係る入賞部４０が構成されている。また、図６（Ａ）と図６（Ｂ）に示す回動扉１４Ｔの位置が、それぞれ、本発明の「作動位置」と「待機位置」に相当する。
【００３２】
各始動入賞口１４Ａ，１４Ｂに遊技球が入球（入賞）すると、例えば、１個の入球につき４個の賞球が上皿２６に払い出されると共に、特別図柄の当否判定が行われる。その判定結果は、表示装置３０の表示画面３０Ｇにて表示される。
【００３３】
具体的には、表示画面３０Ｇには、通常、左、中、右の３つの特別図柄（図示せず）が横並びに停止表示されている。これら各特別図柄は、例えば、「０」〜「９」の数字を表記した複数種類のもので構成されており、通常は、各特別図柄ごと、所定の種類のものが停止表示されている。そして、始動入賞口１４Ａ，１４Ｂに遊技球が入賞したことを契機に、これら３つの特別図柄が変動表示（上下方向にスクロール表示）され、所定時間後に、例えば、左、右、中の順で各特別図柄が停止表示される。始動入賞口１４Ａ，１４Ｂへの入賞に起因した当否判定結果が当たり（以下、「大当たり」という）の場合には、３つの特別図柄が全て同じ図柄（ゾロ目）で停止表示され、その後、遊技状態が「大当たり遊技」に移行する。これに対し、判定結果が外れの場合には、ゾロ目以外の組み合わせで停止表示され、通常の遊技状態が続行する。
【００３４】
大入賞口１５は、横長矩形状をなし、通常の遊技状態では、可動扉１５Ｔにて閉塞されている。そして、遊技状態が「大当たり遊技」になると、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、例えば、１個の入賞につき１５個の遊技球が上皿２６に払い出される。なお、可動扉１５Ｔが開放してから閉じるまでの間を「ラウンド」と称すると、「大当たり遊技」は、最大で、例えば、１６ラウンドまで継続され、１つのラウンドは、可動扉１５Ｔの開放時間が３０秒に達したか、又は、大入賞口１５に遊技球が１０個入賞したか、の何れかの終了条件が先に満たされた場合に終了する。
【００３５】
上述した各入賞口１４Ａ，１４Ｂ，１５，２０，２１の何れにも入賞しなかった遊技球は、アウト口１６に全て取り込まれる。アウト口１６は、遊技領域Ｒ１の下端部に配置されて、前方に開口している。アウト口１６に取り込まれた遊技球は、図示しない球回収装置に回収される。
【００３６】
ここで、本実施形態の遊技機１０は、図３に示すように、アウト口１６として、第２の始動入賞口１４Ｂの真下に配置された中央アウト口１６Ａと、その中央アウト口１６Ａの両側方に配置されたサイドアウト口１６Ｂ，１６Ｂの２種類のアウト口を備えている。具体的には、中央アウト口１６Ａの両側方には、遊技板１１の前面より前方に突出したサイド壁４４，４４が備えられ、各サイドアウト口１６Ｂは、サイド壁４４に隣接して配置されている。
【００３７】
そして、サイド誘導路３５，３５に進入して第２の始動入賞口１４Ｂ側へ案内された遊技球は、回動扉１４Ｔが閉状態のとき、第２の始動入賞口１４Ｂの前方を通過して中央アウト口１６Ａから遊技板１１の後面側に排出される。一方、サイド誘導路３５，３５に進入せずにサイド壁４４の側方を通過し、ガイドレール１２の湾曲ガイド部１２Ｇによって中央アウト口１６Ａ側に案内された遊技球は、ガイド壁４４によって堰き止められ、サイドアウト口１６Ｂから遊技板１１の後面側に排出される。
【００３８】
また、サイド壁４４，４４の上端部には、下方に向かって互いに接近するように傾斜した上面を有する誘導傾斜部４５，４５が備えられ、それら誘導傾斜部４５，４５と演出用役物３１の両側部との間が、上述のサイド誘導路３５，３５となっている。即ち、本実施形態では、湾曲ガイド部１２Ｇによって案内された遊技球を堰き止めるサイド壁４４が、遊技球の第２の始動入賞口１４Ｂへの誘導に兼用されている。
【００３９】
なお、上述の如く、第２の始動入賞口１４Ｂは、回動扉１４Ｔによって開閉される構成となっているので、本実施形態の遊技機１０では、図３に示すように、第２の始動入賞口１４Ｂを、中央アウト口１６Ａから上方に遊技球２個分未満の位置に配置することが可能となる。これにより、遊技機１０では、第２の始動入賞口１４Ｂを遊技領域Ｒ１の下端に寄せた構成をとることが可能となる。
【００４０】
また、本実施形態では、第２の始動入賞口１４Ｂの幅は、遊技球１個分より大きく２個分より小さい幅に設定され、１対のサイド壁４４，４４同士の間隔は、遊技球１個分より大きく２個分よりも小さくなっている。これにより、サイドアウト口１６Ｂ，１６Ｂを遊技領域Ｒ１の横方向の中央に近づけることができ、中央アウト口１６Ａとサイドアウト口１６Ｂ，１６Ｂとを、遊技領域Ｒ１内に横方向でコンパクトに収めることが可能となる。
【００４１】
なお、ここで、中央アウト口１６Ａとサイドアウト口１６Ｂとが、それぞれ、本発明の「排出口」と「サイド排出口」に相当し、１対のサイド壁４４，４４のうち何れか一方のサイド壁４４が、本発明の「対向壁」に相当する。また、１対のサイド壁４４，４４同士の間に形成されて遊技球が流下可能な領域が、本発明の「誘導流路」となっている。
【００４２】
ところで、中央アウト口１６Ａ及びサイドアウト口１６Ｂ，１６Ｂは、第１と第２の始動入賞口１４Ａ，１４Ｂ及び演出用役物３１を一体に組み付けてなる始動入賞口ユニット４１（図４参照）を遊技板１１に取り付けることにより、その始動入賞口ユニット４１と上述したガイドレール１２の湾曲ガイド部１２Ｇとの間に形成される。以下、始動入賞口ユニット４１について説明する。
【００４３】
図５に示すように、始動入賞口ユニット４１は、ユニット本体４１Ｈの前端部に、回動扉１４Ｔと前面カバー４３を組み付けてなる。具体的には、ユニット本体４１Ｈは、その前端部に、第１の始動入賞口１４Ａ、演出用役物３１、第２の始動入賞口１４Ｂを上から順番に並べて備え、演出用役物３１の駆動役物３３と回動扉１４Ｔを駆動するための各駆動部４２を後部に有している。前面カバー４３は、ユニット本体４１Ｈとの間に回動扉１４Ｔを挟んで、第２の始動入賞口１４Ｂの開口縁部に固定される。なお、ユニット本体４１Ｈの後部には、駆動部４２のほかに、第１と第２の始動入賞口１４Ａ，１４Ｂに入球した遊技球を遊技板の後面側に誘導する入賞球誘導路４７や、第２の始動入賞口１４Ｂに入球した遊技球を検出する球検出センサ（図示せず）が備えられている。
【００４４】
また、ユニット本体４１Ｈの前端部からは、複数の取付片４１Ｔが側方に張り出している。そして、始動入賞口ユニット４１は、遊技領域Ｒ１における下端部中央に形成された図示しないユニット取付孔に前側から挿通されて、遊技板１１の前面に取付片４１Ｔを重ねた状態に固定される。
【００４５】
なお、演出用役物３１の環状装飾部３２は、取付片４１Ｔよりも前方に突出し、この環状装飾部３２の上端部に第１の始動入賞口１４Ａが固定されている。また、環状装飾部３２の真下には、取付片４１Ｔとほぼ同じ前後位置で遊技板１１と平行な入賞口構成壁４６が備えられていて、この入賞口構成壁４６に、第２の始動入賞口１４Ｂが開口している（図５参照）。
【００４６】
図５に示すように、前面カバー４３の裏面からは、上述したサイド壁４４，４４が突出している。サイド壁４４，４４は、前面カバー４３の下端寄り部分の両側部に配置され、ユニット本体４１Ｈに前面カバー４３が組み付けられたときに、第２の始動入賞口１４Ｂの両側で入賞口構成壁４６に突き当てられる。そして、このとき、入賞口構成壁４６と前面カバー４３とによって前後方向に挟まれ、環状装飾部３２とサイド壁４４とによって上下方向に挟まれたサイド誘導路３５が形成される。なお、図４及び図６（Ａ）に示すように、サイド壁４４の前面カバー４３の裏面からの突出高さは、遊技球１個分より大きく２個分より小さくなっていて、サイド誘導路３５は、遊技球が１個だけ通過可能な幅になっている。
【００４７】
図３に示すように、入賞口構成壁４６の底面には、底部中央溝４６Ｍが形成されている。また、図５に示すように、始動入賞口ユニット４１のユニット本体４１Ｈには、側方に張り出した溝構成壁４８が設けられている。溝構成壁４８は、入賞口構成壁４６から側方に突出して先端部が下方に折れ曲がった形状をなし、入賞口構成壁４６との間に、底部サイド溝４８Ｍを形成する。なお、溝構成壁４８の外縁部には、上述した取付片４１Ｔが設けられている。
【００４８】
ここで、図３に示すように、底部中央溝４６Ｍは、第２の始動入賞口１４Ｂの真下に位置し、その幅は、第２の始動入賞口１４Ｂの幅と同じかそれより大きくなっている。また、底部サイド溝４８Ｍの溝深さ及び溝幅は、共に遊技球１個分より大きくなっている。
【００４９】
そして、遊技板１１の図示しないユニット取付孔に始動入賞口ユニット４１が取り付けられると、ガイドレール１２における湾曲ガイド部１２Ｇの下端部中央と遊技板１１とに形成された中央排出溝１１Ｍと、上述した底部中央溝４６Ｍとの溝開口同士が合わさって中央アウト口１６Ａが形成され、底部サイド溝４８Ｍ，４８Ｍの溝開口がガイドレール１２の湾曲ガイド部１２Ｇで閉塞されて、サイドアウト口１６Ｂ，１６Ｂが形成される。なお、本実施形態では、第２の始動入賞口１４Ｂの真下位置に中央アウト口１６Ａが位置することになるが、それに限らず、第２の始動入賞口１４Ｂの真下位置に、中央アウト口１６Ａの一部が位置する、即ち、第２の始動入賞口１４Ｂと中央アウト口１６Ａとがずれた位置関係になってもよい。
【００５０】
本実施形態の遊技機１０の構成に関する説明は以上である。次に、遊技機１０の作用効果について説明する。遊技機１０では、遊技者により操作ハンドル２８が操作されると、遊技球が遊技領域Ｒ１に順次打ち込まれる。そして、遊技領域Ｒ１に打ち込まれた遊技球が、各入賞口１４Ａ，１４Ｂ，１５，２０，２１の何れかに入球すると、遊技者に賞球等の特典が付与される。一方、何れの入賞口にも入球しなかった遊技球は、遊技者に特典を付与することなくアウト口１６から遊技板１１の後面側に排出される。
【００５１】
ここで、本実施形態では、サイド誘導路３５，３５に進入し、第２の始動入賞口１４Ｂへ入球（入賞）せずに下方に流下した遊技球については、中央アウト口１６Ａから遊技板１１の後面側に排出される。一方、サイド誘導路３５，３５に進入せずに、サイド壁４４，４４の側方を通過し、湾曲ガイド部１２Ｇによって中央アウト口１６Ａの側方に案内された遊技球は、中央アウト口１６Ａの側方位置でサイド壁４４，４４によって堰き止められ、サイドアウト口１６Ｂ，１６Ｂから遊技板１１の後面側に排出される。
【００５２】
このように、本実施形態の遊技機１０によれば、中央アウト口１６Ａに向けて上方から流下してきた遊技球と、中央アウト口１６Ａに向けて側方から流下してきた遊技球とを、別々のアウト口１６によって遊技板１１の後面側に排出するので、中央アウト口１６Ａ付近で遊技球が詰まることを抑制することが可能になる。
【００５３】
しかも、サイド壁４４が中央アウト口１６Ａの両側に１対設けられ、サイドアウト口１６Ｂが、１対のサイド壁４４，４４の中央アウト口１６Ａと反対側に対をなして配置されているので、湾曲ガイド部１２Ｇによって右側、左側の何れから中央アウト口１６Ａ側へ案内される遊技球についても、サイド壁４４で堰き止めてサイドアウト口１６Ｂから排出することが可能になる。
【００５４】
また、本実施形態では、サイド壁４４，４４の上端部に、下方に向かって互いに接近するように傾斜した誘導傾斜部４５，４５を備えているので、中央アウト口１６Ａ側に案内される遊技球を堰き止めるサイド壁４４を、遊技球の第２の始動入賞口１４Ｂへの誘導に兼用することが可能になる。
【００５５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）上記実施形態では、中央アウト口１６Ａの両側方にサイド壁４４とサイドアウト口１６Ｂを１対ずつ備えた構成であったが、遊技機１０が、例えば、右打ちと左打ちの一方のみを行ったときに、大量の遊技球が第２の始動入賞口１４Ｂ付近に集中し易くなるように構成されている場合には、その一方側にのみサイド壁４４とサイドアウト口１６Ｂを備えてもよい。
【００５７】
（２）図８に示すように、ガイドレール１２の湾曲ガイド部１２Ｇに、中央アウト口１６Ａの一側方（図８では、右側）に段差部１２Ｄを設けて、その段差部１２Ｄより中央アウト口１６Ａ側に案内から離れた部分によって、第２の始動入賞口１４Ｂへ向けて遊技球を案内するように構成し、湾曲ガイド部の段差部１２Ｄと反対側にのみ、サイド壁４４とサイドアウト口１６Ｂを備えてもよい。この場合、段差部１２Ｄが本発明の「対向壁」に相当する。
【００５８】
（３）上記実施形態では、アウト口１６（中央アウト口１６Ａ及びサイドアウト口１６Ｂ，１６Ｂ）が、入賞口ユニット４１と遊技板１１のガイドレール１２とによって形成されていたが、入賞口ユニット４１のみによって形成されてもよいし、遊技板１１のみによって形成されてもよい。
【００５９】
（４）上記実施形態では、本発明の「入賞補助部材」の一例として、回動扉１４Ｔを挙げたが、例えば、第２の始動入賞口１４Ｂの下端部で前後方向に進退し、後退位置に配置されたときに、第２の始動入賞口１４Ｂの奥側に収まり、前進位置に配置されたときに、第２の始動入賞口１４Ｂから前方に突出し、上面を案内にして遊技球を第２の始動入賞口１４Ｂに誘導する直動部材であってもよい。
【００６０】
（５）図９に示すように、上記第１実施形態の始動ゲート１８と同様の門形構造の入賞ゲート１１４を備えて、遊技球が入賞ゲート１１４を通過したときに、賞球が払出されて特別図柄の当否判定が行われる構成にしてもよい。具体的には、図９に示す例では、入賞ゲート１１４の両側方に、起立した待機位置と横倒しにされて遊技球を入賞ゲート１１４へと誘導する作動位置との間を移動する可動翼片１１４Ｃ，１１４が設けられ、それら可動翼片１１４Ｃ，１１４Ｃの下方にサイド壁１４４，１４４が備えられている。なお、中央アウト口１６Ａは、入賞ゲート１１４の真下に配置され、サイド壁１４４，１４４の隣りに、サイドアウト口１６Ｂ，１６Ｂが配置されている。また、入賞ゲート１１４への上方には、入賞ゲート１１４付近への遊技球の情報からの進入を規制する上方規制部材１３１を備えている。なお、この構成では、遊技板の前面から突出した入賞ゲート１１４が本発明の入賞部１４０に相当し、入賞ゲート１１４の孔を通過する（入賞ゲート１１４を潜る）ことが、「入賞部」内を流下することに相当する。
【００６１】
（６）図１０に示すサイド壁４４Ｖ，４４Ｖのように、上端部に、下方に向かって互いに接近する屈曲部を備え、それら屈曲部を誘導傾斜部４５Ｖ，４５Ｖとしてもよい。
【００６２】
（７）図１１に示すサイド壁４４Ｗ，４４Ｗのように、誘導傾斜部を備えない構成としてもよい。なお、同図に示す例では、サイド壁４４Ｗの上端は、第２の始動入賞口１４Ｂより下方かつ中央アウト口１６Ａより上方に配置され、サイド壁４４Ｗの上方に、ガイド部材４５Ｗを備えている。ガイド部材４５Ｗは、第２の始動入賞口１４Ｂに近づくにつれて下方に下るように傾斜した上面を有し、演出用役物３１との間にサイド誘導路３５を形成する。そして、ガイド部材４５Ｗの上面を転動した遊技球が、作動位置の回動扉１４Ｔの上面を案内にして第２の始動入賞口１４Ｂへ入球するようになっている。
【００６３】
（８）上記実施形態では、１対のサイド壁４４，４４同士の間隔は、遊技球２個分より小さかったが、遊技球２個分以上であってもよい。このような構成としても、中央アウト口１６Ａに遊技球が集中することを抑えて、中央アウト口１６Ａ付近での球詰まりを抑制することが可能になる。
【符号の説明】
【００６４】
１０    遊技機
１２    ガイドレール（包囲壁）
１２Ｇ    湾曲ガイド部
１６Ａ    中央アウト口（排出口）
１６Ｂ    サイドアウト口（サイド排出口）
１４Ｂ    第２の始動入賞口（入賞口）
１４Ｔ    回動扉（入賞補助部材）
４０，１４０    入賞部
４４，４４Ｖ，４４Ｗ，１４４    サイド壁（対向壁）
４５，４５Ｖ    誘導傾斜部
【図１】
0005643950.tif 000002
【図２】
0005643950.tif 000003
【図３】
0005643950.tif 000004
【図４】
0005643950.tif 000005
【図５】
0005643950.tif 000006
【図６】
0005643950.tif 000007
【図７】
0005643950.tif 000008
【図８】
0005643950.tif 000009
【図９】
0005643950.tif 000010
【図１０】
0005643950.tif 000011
【図１１】
0005643950.tif 000012